(57)【要約】【課題】顧客自から好みのロッカーを選定でき、使用管理と保安管理の効率向上するロッカー使用管理システムが望まれている。【解決手段】個別に設定されたＩＤコードが記憶されたリストバンド１と、ロッカー毎に設けられ、リストバンドＩＤコードを読み取りロッカー番号と共に送信する制御と、ロッカーの扉の施錠を制御するリーダライタボックス１２と、このリーダライタボックス１２から送信されたＩＤコードとロッカー番号からロッカー使用可否を判定し、リーダライタボックス１２にロッカー使用許可を与えてロッカーの扉を施錠させるロッカー使用管理コンピュータ１７からなるロッカー使用管理システム。【選択図】　　　図１
2004137720.tif 000002
【特許請求の範囲】
【請求項１】
個別に設定された識別情報が記憶され、その識別情報は外部から読み取り可能で個人毎に携帯される携帯識別手段と、
複数のロッカー毎に設けられ、前記携帯識別手段の識別情報を読み取り、その読み取った識別情報とロッカーの識別情報とを送信すると共に、ロッカーの扉の施錠を制御するリーダライタ手段と、
このリーダライタ手段から送信された携帯識別手段の識別情報とロッカーの識別情報からロッカーの使用可否を判定すると共に、その判定結果を基に前記リーダライタ手段でロッカーの扉の施錠または解錠させる使用管理手段と、
を具備することを特徴としたロッカー使用管理システム。
【請求項２】
前記携帯識別手段は、個別に設定される識別情報を記憶する記憶機能と、その記憶機能に記憶されている識別情報を外部機器で読み取り可能な読み取り機能のみを有し、いかなる情報の表示機能も有していないことを特徴とした請求項１記載のロッカー使用管理システム。
【請求項３】
前記使用管理手段は、前記ロッカーの全ての識別情報と、使用許可を与えたロッカーに対する携帯識別手段の識別情報等の情報データを記憶すると共に、それら情報データから携帯識別手段毎にロッカーの使用可否判定を行うことを特徴とした請求項１記載のロッカー使用管理システム。
【請求項４】
前記複数のロッカーを複数のグループに区分し、それぞれのグループ単位毎に使用管理手段を設けたことを特徴とした請求項１乃至３のいずれかに記載のロッカー使用管理システム。
【請求項５】
前記携帯識別手段の識別情報を読み取り前記使用管理手段に送信し、その携帯識別手段が使用しているロッカーの識別情報を入手すると共に、その入手したロッカーの識別情報を表示させるロッカー識別情報表示機器を前記ロッカーと異なる場所や位置に設けたことを特徴とした請求項１乃至４のいずれかに記載のロッカー使用管理システム。
【請求項６】
前記識別情報手段は、リストバンド形式、またはカード形式で形成されたことを特徴とした請求項１乃至４のいずれかに記載のロッカー使用管理システム。
【請求項７】
前記ロッカーは、更衣類や手荷物等の収納保管、または宿泊用の寝台カプセル等であることを特徴とした請求項１乃至６のいずれかに記載のロッカー使用管理システム。
【発明の詳細な説明】
【０００１】
【発明の属する技術分野】
本発明は、プールやスポーツジム等のスポーツ施設で更衣類を収納保管するロッカー、あるいはカプセルホテルの寝台カプセル等の使用管理システムに関する。
【０００２】
【従来の技術】
従来、プールやスポーツジム等のスポーツ施設の更衣用のロッカーや、カプセルホテルの寝台ボックス（以下、単にロッカーと称する）を使用する際には、施設側が用意したロッカー番号を表記した鍵付きタグやカードを用いて指定されたロッカーを使用施錠したり、あるいは、ロッカーに設けられた暗証番号入力用のテンキーを用いて施錠使用する等が一般的である。
【０００３】
このようなロッカーの場合は、運動中、常時鍵付きタグやカードを持ち続ける必要があり運動の妨げとなり、また、暗証番号入力方式は、入力した暗証番号を失念してしまい開錠が困難となる弊害もある。
【０００４】
このようなロッカー使用の弊害に対して、運動の妨げとならず、且つ、ロッカー施錠が確実に実行できるロッカー管理システムとしてＩＤコードを組み込んだリストバンドを用いる方法がある。
【０００５】
このリストバンドによるロッカー管理システムは、リストバンド毎に個別の識別コードであるＩＤコードを記憶させるＩＣチップと共に、そのＩＤコード毎に使用が許可されたロッカー番号が表記される表記部とからなっている。このリストバンドのＩＤコードと使用許可ロッカー番号は、コンピュータ機器にロッカー使用情報として記憶させると共に、コンピュータ機器に接続されたロッカーの扉に設けられた読み取り手段で読み取ったリストバンドのＩＤコードから使用許可を得たＩＤコードであるが判定されてロッカーの施錠と開錠ができるようになっている。このリストバンドは、記憶されている単一のＩＤコードに対して、使用許可ロッカー番号の設定と表記が自由にできようになっている（例えば、特許文献１参照）。
【０００６】
【特許文献１】
特開平１０−３０６６３７号公報。
【０００７】
【発明が解決しようとする課題】
特許文献１に開示されている従来のロッカー管理システムは、識別情報が記録された任意のリストバンドに対して、任意の空きロッカーを対応させ、その対応させたロッカー番号がリストバンドに表記される。そのリストバンドに表記されたロッカー番号のロッカーにおいて、リストバンドの識別情報を読み込み、コンピュータ機器で使用許可されているか判定して、ロッカーの施錠と開錠を制御駆動している。
【０００８】
このようなロッカー管理システムは、任意のリストバンドに任意のロッカーを選定することができるが、このリストバンドとロッカーとの関係は、ロッカー管理者側が空きロッカーリストから選定するものである。
【０００９】
しかし、顧客の中には、例えば、ロッカールームの奥まった場所に設置されているロッカーや、設置位置の高い、または低い位置のロッカーを好まない場合がある。このような好ましくないロッカーを選定指定された顧客には不満が生じ、顧客はロッカーの選定変更を望むために、ロッカーの貸し出し管理が煩雑となる。
【００１０】
さらに、リストバンドを紛失した場合、リストバンドに使用ロッカー番号が表記されているために、取得者がそのリストバンドの使用ロッカー番号の認識が容易となり、保安上好ましくなかった。
【００１１】
本発明は、このような事情に鑑みてなされたもので、顧客自らが好みのロッカーを選定出来、使用管理の作業効率向上と、リストバンド紛失時にそのリストバンドの使用ロッカー番号が判明しにくいロッカー使用管理システムを提供することを目的としている。
【００１２】
【課題を解決するための手段】
本発明のロッカー使用管理システムは、個別に設定された識別情報が記憶され、その識別情報は外部から読み取り可能で個人毎に携帯される携帯識別手段と、複数のロッカー毎に設けられ、前記携帯識別手段の識別情報を読み取り、その読み取った識別情報とロッカーの識別情報とを送信すると共に、ロッカーの扉の施錠を制御するリーダライタ手段と、このリーダライタ手段から送信された携帯識別手段の識別情報とロッカーの識別情報からロッカーの使用可否を判定すると共に、その判定結果を基に前記リーダライタ手段でロッカーの扉の施錠または解錠させる使用管理手段と、を具備することを特徴としている。
【００１３】
本発明のロッカー使用管理システムの前記携帯識別手段は、個別に設定される識別情報を記憶する記憶機能と、その記憶機能に記憶されている識別情報を外部機器で読み取り可能な読み取り機能のみを有し、いかなる情報の表示機能も有していないことを特徴としている。
【００１４】
本発明のロッカー使用管理システムの前記使用管理手段は、前記ロッカーの全ての識別情報と、使用許可を与えたロッカーに対する携帯識別手段の識別情報等の情報データを記憶すると共に、それら情報データから携帯識別手段毎にロッカーの使用可否判定とを行うことを特徴としている。
【００１５】
本発明のロッカー使用管理システムは、前記複数のロッカーを複数のグループに区分し、それぞれのグループ単位毎に使用管理手段を設けたことを特徴としている。
【００１６】
本発明のロッカー使用管理システムは、前記携帯識別手段の識別情報を読み取り前記使用管理手段に送信し、その携帯識別手段が使用しているロッカーの識別情報を入手すると共に、その入手したロッカーの識別情報を表示させるロッカー識別情報表示機器を前記ロッカーと異なる場所や位置に設けたことを特徴としている。
【００１７】
本発明のロッカー使用管理システムの前記識別情報手段は、リストバンド形式、またはカード形式で形成されたことを特徴としている。
【００１８】
また、本発明のロッカー使用管理システムの前記ロッカーは、更衣類や手荷物等の収納保管、または宿泊用の寝台カプセル等であることを特徴としている。
【００１９】
本発明のロッカー使用管理システムは、空きロッカーの中から顧客が好みのロッカーを選択指定でき、その顧客が選択指定したロッカーと顧客の識別情報は集中管理できるために、ロッカー使用管理の効率も向上できた。
【００２０】
【発明の実施の形態】
以下、図面を参照して本発明の実施の形態について詳細に説明する。本発明に係るロッカー使用管理システムの一実施形態を図１乃至図６を用い説明する。
【００２１】
本発明に係るロッカー使用管理システムの全体構成を図１を用いて説明する。例えば、プールやスポーツジム等に複数のロッカー１１ａ〜１１ｎが設置されている。この複数のロッカー１１ａ〜１１ｎのそれぞれの扉には、リーダーライターボックス１２ａ〜１２ｎと電気錠１５ａ〜１５ｎが設けられている。このリーダライターボックス１２ａ〜１２ｎのそれぞれには、リーダライタ１３ａ〜１３ｎと制御部１４ａ〜１４ｎが内蔵されている。
【００２２】
リーダライタ１３ａ〜１３ｎは、後述するリストバンド１やカード３に設けられている識別情報用ＩＣチップに記憶されている識別情報を読み取るもので、制御部１４ａ〜１４ｎは、前記リーダライタ１３ａ〜１３ｎを駆動制御すると共に、
電気錠１５ａ〜１５ｎの駆動制御と、コントローラ１６を介してコンピュータ１７と各種制御信号や情報データの授受を行うものである。
【００２３】
また、前記ロッカー１１ａ〜１１ｎのそれぞれの扉は、前記リーダライターボックス１２ａ〜１２ｎの制御部１４ａ〜１４ｎの駆動制御により電気錠１５ａ〜１５ｎで施錠及び解錠されるようになっている。
【００２４】
前記制御部１４ａ〜１４ｎは、コントローラ１６を介してコンピュータ１７に接続されている。コントローラ１６は、前記ロッカー１１ａ〜１１ｎの制御部１４ａ〜１４ｎとコンピュータ１７との間で交換される各種制御信号と情報データの授受のインターフェイスであり、コンピュータ１７は、ロッカー１１ａ〜１１ｎの識別情報データ、使用の有無データ、使用者の識別情報データ、及び課金データなどの各種情報データの記憶と、前記制御部１１ａ〜１１ｎに対して各種駆動指示を行う制御信号を生成するものである。
【００２５】
一方、ロッカーの使用者は、図２に示すリストバンド１またはカード３を保有する。このリストバンド１は、使用者の手首に巻き付けるバンドに識別情報を記憶するＩＣチップ２のみが埋設設置されている。このＩＣチップ２は、個々のリストバンド１を識別する識別情報であるＩＤコード（以下、ＩＤコードと称する）が記憶されている。このリストバンド１のＩＤコードは、前記ロッカー１１ａ〜１１ｎのリードライタ１３ａ〜１３ｎで読み取りが可能であるが、ロッカー番号などの使用ロッカーを認識するための表示機能は有していない。
【００２６】
また、カード３は、全体形状が略名刺サイズで、前記リストバンド１のＩＣチップ２と同じ機能を有するＩＣチップ４が埋設されている。なお、形状は異なるがリストバンド１とカード３の用途や作用は同じであるため、特に断りのない限り、以降の説明はリストバンド１のみを用いて説明する。
【００２７】
次に、前記ロッカー１１ａ〜１１ｎに設けられているリーダライターボックス１２ａ〜１２ｎと電気錠１５の構成を図３を用いて説明する。
【００２８】
リーダライターボックス１２は、制御部１４とリーダライタ１３と及びランプ１８からなっている。
【００２９】
前記制御部１４は、前記コントローラ１６を介して、前記コンピュータ１７と各種制御信号と情報データを授受すると共に、リーダライタ１３を駆動制御して、リストバンド１のＩＣチップ２に記憶されているＩＤコードを読み取り、その読み取ったリストバンド１のＩＤコードをコントローラ１６を介してコンピュータ１７に送信する。
【００３０】
また、前記制御部１４は、前記コンピュータ１７からの制御信号の基で、ランプ１８を点消灯制御する。このランプ１８は、ランプ点灯回路と表示用ランプからなり、ロッカー１１の使用状態と空き状態をランプの点消灯で表示するために設けられている。
【００３１】
更に、前記制御部１４は、電気錠１５を駆動制御する。この電気錠１５は、スイッチ類１９とソレノイド２０からなっている。ソレノイド２０はロッカーの扉の施錠ロックと施錠ロック解錠を行うもので、スイッチ類１９はソレノイド２０の施錠と解錠の状態を検出するものである。
【００３２】
なお、制御部１４ａ〜１４ｎには、それぞれ個別にロッカー１１ａ〜１１ｎを識別するための識別情報であるロッカー番号（以下、単にロッカー番号と称する）を有している。
【００３３】
次に、前記コントローラ１６の構成について図４を用いて説明する。コントローラ１６は、前記複数のロッカー１１ａ〜１１ｎの制御部１４ａ〜１４ｎと接続されて各種制御信号と情報データを入出力する入出力部２１と、この入出力部２１に接続された変換部２２、この変換部２２と前記コンピュータ１７との間の各種制御信号と情報データの授受用の送受信部２３とからなっている。
【００３４】
入出力部２１は、前記コンピュータ１７から送受信部２３と変換部２２を介して、ロッカー１１ａ〜１１ｎの制御部１４ａ〜１４ｎへ入力する各種駆動制御信号を各制御部１４ａ〜１４ｎに振り分け入力したり、あるいは、各制御部１４ａ〜１４ｎからコンピュータ１７に出力されるロッカー番号、リストバンドＩＤコード、及び電気錠の施錠／解錠情報等の状態情報信号の信号インターフェイスである。
【００３５】
変換部２１は、前記コンピュータ１７から入出力部２０に入力される各種制御データから制御部１４ａ〜１４ｎを駆動制御する信号に変換したり、前記制御部１４ａ〜１４ｎから入出力部２０を介して出力された状態情報信号を状態情報データに変換する。
【００３６】
送受信部２２は、コンピュータ１７から制御部１４ａ〜１４ｎに送信する各種制御データと、及び制御部１４ａ〜１４ｎから送信された状態情報データのインターフェイスである。
【００３７】
このような構成のロッカー使用管理システムのロッカー施錠／解錠処理動作について、図５を用いて説明する。
【００３８】
顧客は、ロッカー使用の受付窓口で、ロッカー使用のために、リストバンド１を受領する。このリストバンド１には、それぞれＩＤコードが書込記録されていると共に、受付窓口で図示していない端末機からコンピュータ１７にロッカー使用のためにチェックインされた顧客のリストバンドＩＤコードであることの登録を行う。
【００３９】
受付窓口でこのリストバンド１を受領した顧客は、ロッカー１１が設置された領域内で、好みのロッカー１１を探索する。なお、ロッカー１１の扉に設けられたリーダライターボックス１２のランプ１８の点消灯により使用ロッカーと空きロッカーが区別されており、そのランプ１７の点消灯により好みのロッカーを探索する。
【００４０】
顧客は、空きロッカー表示されているロッカー１１から所望の、例えば、ロッカー１１ａを選択し、その選択したロッカー１１ａのリーダライタ１３ａに保有しているリストバンド１を近づけると、コンピュータ１７はステップＳ１で、制御部１４ａを介してリーダライタ１３ａを駆動制御して、リストバンド１に記憶されているＩＤコードを読み取らせる。
【００４１】
このステップＳ１でリストバンド１のＩＤコードが読み取られると、コンピュータ１７は、ステップＳ２で制御部１４を駆動制御して読み込んだリストバンド１のＩＤコードとそのＩＤコードを読み込んだロッカー１１ａのロッカー番号を送信するように制御してリストバンドＩＤコードとロッカー番号を受信する。
【００４２】
このステップＳ２で制御部１４から送信されたリストバンドＩＤコードとロッカー番号を基に、コンピュータ１７は、ステップＳ３でリストバンドＩＤコードは、チェックイン登録されているＩＤコードであるか判定する。
【００４３】
このステップＳ３のチェックイン済みリストバンドＩＤコードの判定は、コンピュータ１７に設けられているデータ記憶メモリに記憶されている受付窓口で登録記憶されたチェックイン顧客が保有するリストバンドＩＤコードと照合判定する。
【００４４】
このステップＳ３で、チェックイン済みのリストバンドＩＤコードではないと判定されると、ステップＳ４でコンピュータ１７は、顧客がリストバンドＩＤコードを読み込ませたロッカー番号と、使用登録不可のデータを送信する。このロッカー番号と使用登録不可データを受信したロッカーの制御部１４は、ロッカー使用不可の表示を行わせる。このロッカー使用不可表示は、例えば、ランプ１８を点滅させて表示させる。
【００４５】
前記ステップＳ３で、チェックインしているリストバンドＩＤコードであると判定されると、コンピュータ１７は、ステップＳ５で前記コンピュータ１７のデータ記憶メモリの使用済みロッカー番号と照合して、既に使用されているロッカー１１であるか判定される。
【００４６】
このステップＳ５の結果、既で使用されているロッカー１１であると判定されると、コンピュータ１７は、ステップＳ６で使用されているロッカー番号に登録されているリストバンドＩＤコードと比較し、既に登録されているロッカー番号と使用リストバンドＩＤコードとが不一致であると、ステップＳ９で、顧客が使用を希望するロッカー番号の使用登録不可データをロッカー１１の制御部１４に送信する。この使用登録不可データを受信したロッカー１１の制御部１４は、前記ステップＳ４と同様に基に、ランプ１８を点滅させて、顧客にロッカー使用登録は出来ない表示を行う。
【００４７】
前記ステップＳ５で使用していない空きロッカー１１であると判定されると、コンピュータ１７はステップＳ７でその空きロッカー番号とリストバンドＩＤコードを基に、空きロッカーを使用ロッカーに登録変更し、且つ、そのロッカー番号に使用する顧客のリストバンドＩＤコードを登録記録させる。
【００４８】
このステップ７のロッカー番号とリストバンドＩＤコードの登録が終了するか、
または前記ステップＳ６で、既登録データからロッカー番号とリストバンドＩＤコードが一致したと判定すれると、コンピュータ１７は、ステップＳ８でロッカー番号とロッカー使用許可データを制御部１４に送信する。
【００４９】
このステップＳ８の使用許可データを受信したロッカー番号のロッカー１１の制御部１４は、コンピュータ１７からの制御の基で、ステップＳ１０で電気錠１５の施錠または解錠の状態信号を検出出力させる。このロッカー１１の制御部１４からの電気錠１５の状態信号を基に、コンピュータ１７はステップ１０で、電気錠１５が解錠状態であるか判定する。
【００５０】
ロッカー１１が解錠状態でない場合、つまり施錠状態であると、ステップＳ１１でロッカー１１の電気錠１５を解錠するように制御部１４を制御させる。
【００５１】
ロッカー１１が解錠状態の場合は、ステップＳ１２でロッカー１１の電気錠１５を施錠するように制御部１４を制御する。
【００５２】
つまり、ステップＳ５，Ｓ７，Ｓ８，Ｓ１０，及びＳ１２の処理ルートは、新規ロッカー使用許可の処理判定で、ステップＳ５，Ｓ６，Ｓ８，Ｓ１０，及びＳ１１の処理ルートは、使用しているロッカーを解錠処理判定となる。
【００５３】
以上説明したように、本発明のロッカー使用管理システムは、コンピュータ１７にコントローラ１６を介して接続された複数のロッカー１１ａ〜１１ｎに設けられたリーダライターボックス１２ａ〜１２ｎからなり、好みの空きロッカー１１のリーダライタ１３で、リストバンドＩＤコードを読み込ませることで、ロッカー使用登録が出来、そのロッカー使用登録データは、コンピュータ１７に記憶される。
【００５４】
また、リストバンド１には、使用ロッカー番号の表示機能はないために、もし仮に紛失した場合、リストバンド１からロッカー番号は容易に判明することはない。
【００５５】
なお、使用登録したロッカー番号を失念した場合のために、受付窓口にロッカー番号照合機器を設置し、リストバンドＩＤコードを読み取り、使用登録されているロッカー番号を表示できるようにする。
【００５６】
次に、ロッカー１１の使用終了後の登録解除処理動作について図６を用いて説明する。顧客はロッカーの使用が終了すると、リストバンド１を受付窓口に提出する。ステップＳ２１でコンピュータ１７は、図示していないチェックアウト端末機からリストバンドＩＤコードを読み込ませる。
【００５７】
このステップＳ２１で読み込んだリストバンドＩＤコードを基に、ステップＳ２２でコンピュータ１７は、ロッカー使用登録されているリストバンドＩＤコードと照合させる。このステップＳ２２の照合の結果、ロッカー使用登録されていないリストバントＩＤコードの場合は、ステップＳ２３で処理を終了させる。
【００５８】
このステップＳ２２で、ロッカー使用登録されているリストバンドＩＤコードであると判定されると、コンピュータ１７はステップＳ２４で、ロッカー使用登録されているロッカー番号からリストバンドＩＤコードを消去させ、ステップＳ２５でデータ記憶メモリのロッカー番号を空きロッカーとするための未使用データを記録すると共に、ステップＳ２６で、コントローラ１６を介して、未使用となったロッカー１１の制御部１４に対して、ランプ１８を空きロッカーを表示する未使用ランプの点灯指示を行う。
【００５９】
このリストバンドＩＤコードをチェックアウト入力させることで、使用登録ロッカーを空きロッカーに設定でき、チェックアウト後の新規のチェックイン使用登録が速やかに実行できる。
【００６０】
なお、チェックアウトによる登録解除動作と共に、ロッカー使用料金の請求または領収書の発行も同時実行することも出来る。
【００６１】
次に、本発明に係るロッカー使用管理システムの他の実施形態を図７乃至図９を用いて説明する。
【００６２】
この他の実施形態のロッカー使用管理システムは、前述した一実施形態のロッカー使用管理システムと、ロッカー１１に設けられているリーダーライターボックス１２と電気錠１５は全く同一であるから図示してなく、前述の一実施形態と異なるコントローラ１６’のみを示している。
【００６３】
この他の実施形態のコントローラ１６’は、図７に示すように、前記コントローラ１６の変換部２１に代えて、登録部２１’を設けている。
【００６４】
この登録部２１’は、前記変換部２１の機能にロッカー１１の制御部１４を制御する機能と、管理するロッカー１１のロッカー番号、それらロッカー１１の使用時のリストバンドＩＤコード、及びロッカー１１の使用・未使用の情報等のデータ記憶機能などを有している。
【００６５】
この他の実施形態のロッカー使用管理システムは、管理するロッカーの数が比較的膨大で、単一のコンピュータで処理管理すると、処理速度が遅くなったり、データを記憶させるメモリが膨大となる場合に、ロッカーをある数でグルーピングして、そのグルーピングされたグループ単位のロッカーをコントローラ１６’で管理するようにしたものであり、コンピュータ１７は、全グループを包括制御するようになっている。
【００６６】
このコントローラ１６’のロッカー使用登録の処理動作について図８を用いて説明する。この図８の処理動作のステップＳ３１〜Ｓ４２は、図５で説明したステップＳ１〜Ｓ１２と同じ処理動作であり、詳細説明は省略する。
【００６７】
この図８の処理で図５の処理動作と異なる点は、ステップＳ３３におけるリストバンドＩＤコードがチェックイン処理されているか判定する際に、コントローラ１６’の登録部２１’は、コンピュータ１７に対して、読み取ったリストバンドＩＤコードがチェックイン処理されているか照会し、コンピュータ１７でのチェックイン処理照合の結果のデータの基で、ステップＳ３３以降の処理が実行される。
【００６８】
次に、ロッカーの使用終了後の登録解除処理について図９を用いて説明する。顧客は、ロッカー１１の使用が終了するとリストバンド１を受付窓口な提出する。
【００６９】
受付窓口は、ステップＳ５１でコンピュータ１７の図示していないチェックアウト端末機からリストバンドＩＤコードを読み取らせる。このコンピュータ１７で読み取ったリストバンドＩＤコードは、ステップＳ５２でコントローラ１６’の登録部２２’に送信される。
【００７０】
次に、ステップＳ５３で登録部２２’は、送信されたリストバンドＩＤコードが使用許可登録されているか判定し、使用許可登録されていないと判定されるとステップＳ５４で処理動作を終了する。
【００７１】
このステップＳ５３で使用許可登録されているリストバンドＩＤコードであると判定されると、ステップＳ５５で登録部２２’は、その使用許可登録リストから消去し、ステップＳ５６でその消去したリストバンドＩＤコードに使用許可していたロッカー番号を空きロッカーとすると共に、リーダライターボックス１２のランプ１８を空きロッカー表示とするランプの点消灯を行う。
【００７２】
これにより、顧客が好みのロッカー選択が可能であると共に、膨大なロッカーをグループ単位でロッカーの使用管理が可能となり、ロッカー使用登録の効率やコンピュータの処理能力や記憶容量の増大を抑制できる。
【００７３】
なお、本発明の実施形態の説明で、スポーツ施設での更衣ロッカーを例に説明したが、カプセルホテルのように寝台スペースをカプセル化した寝台カプセルの使用管理にも適用できることは明らかである。
【００７４】
【発明の効果】
本発明のロッカー使用管理システムは、顧客の好みのロッカーをロッカーの設置場所で顧客が自ら選択しながら使用登録が可能であり、ロッカー管理を行う側も顧客を識別するための識別情報を記録したリストバンドやカードから識別情報を読み取り、チェックイン処理とチェックアウト処理を行うのみでロッカーの使用管理作業の効率が向上すると共に、リストバントやカードには使用ロッカーを識別する情報が表示され無いために高い保安管理の効果が得られる。
【図面の簡単な説明】
【図１】本発明に係るロッカー使用管理システムの一実施形態の構成を示すブロック図。
【図２】本発明に係るロッカー使用管理システムに用いる顧客識別用のリストバンドとカードを説明する説明図。
【図３】本発明に係るロッカー使用管理システムの一実施形態のロッカーに設置されるリーダライタボックスと電気錠の構成を示すブロック図。
【図４】本発明に係るロッカー使用管理システムの一実施形態のコントローラの構成を示すブロック図。
【図５】本発明の係るロッカー使用管理システムの一実施形態のロッカー施錠／解錠処理の動作説明するフローチャート。
【図６】本発明の係るロッカー使用管理システムの一実施形態のロッカー登録解除処理の動作説明するフローチャート。
【図７】本発明に係るロッカー使用管理システムの他の実施形態のコントローラの構成を示すブロック図。
【図８】本発明の係るロッカー使用管理システムの他の実施形態のロッカー施錠／解錠処理の動作説明するフローチャート。
【図９】本発明の係るロッカー使用管理システムの他の実施形態のロッカー登録解除処理の動作説明するフローチャート。
【符号の説明】
１…リストバンド、２、４…ＩＣチップ、３…カード、１１…ロッカー、１２…リーダライタボックス、１３…リーダライタ、１４…制御部、１５…電気錠、１６…コントローラ、１７…コンピュータ、１８…ランプ、１９…スイッチ類、２０…ソレノイド、２１…入出力部、２２…変換部、２３…送受信部。
【図１】
2004137720.tif 000003
【図２】
2004137720.tif 000004
【図３】
2004137720.tif 000005
【図４】
2004137720.tif 000006
【図５】
2004137720.tif 000007
【図６】
2004137720.tif 000008
【図７】
2004137720.tif 000009
【図８】
2004137720.tif 000010
【図９】
2004137720.tif 000011